(57)【特許請求の範囲】
【請求項１】
調査範囲内の地盤を曲線ボーリングを用いて削孔し、該削孔内の任意点で水圧、流速、流向または土質等の調査を行う方法であって、互いに交差する複数の面にそれぞれ含まれかつ互いに連通しない複数の削孔を曲線ボーリングによって形成することを特徴とする地下水処理方法。
【請求項２】
地下水の水抜きを行う範囲内の地盤を曲線ボーリングを用いて削孔し、当該削孔内に水抜き管を挿入し、水抜き管の側面から集水した水を水抜き管の端部から排水する方法であって、前記排水が水抜き管の両端部から行われることを特徴とする地下水処理方法。
【請求項３】
前記請求項１または２に記載の曲線ボーリングは、一端を地表面より削孔を開始し、他端を再度地表面に連通させたことを特徴とする地下水処理方法。
【請求項４】
前記請求項１または２に記載の曲線ボーリングは、削孔途中の地下調査の結果に基づいて方向を自在に変えることを特徴とする地下水処理方法。
【請求項５】
前記請求項１に記載の削孔内に水抜き管を挿入し、水抜き管の側面から集水した水を水抜き管の両端部から排水することを特徴とする地下水処理方法。
【請求項６】
前記水抜き管は、地下水を重力により集水し、水抜き管の端部から自然排水することを特徴とする請求項２または５のいずれかに記載の地下水処理方法。
【請求項７】
前記請求項２、５、６のいずれかに記載の水抜き管は、有孔管の周囲に集水材を巻いたものであることを特徴とする地下水処理方法。
【請求項８】
前記請求項２、５、６、７のいずれかに記載の水抜き管は、片端部から洗浄水を注入し他端から排水することにより逆洗浄できることを特徴とする地下水処理方法。
【請求項９】
前記請求項２、５、６、７、８のいずれかに記載の水抜き管は、自然斜面、盛土斜面、切土斜面等の斜面に使用されることを特徴とする地下水処理方法。
【請求項１０】
前記請求項２、５、６、７、８、９のいずれかに記載の水抜き管は、廃棄物処理場における浸出水を排水するために使用されることを特徴とする地下水処理方法。
【請求項１１】
曲線ボーリングを用いて地下水を処理する方法であって、調査範囲内の地盤を削孔し、削孔内の任意点で水圧、流量、流向等または土質調査を行なった後、曲線ボーリングにより形成された削孔に水抜き管を挿入し、水抜き管から集水した水を水抜き管の端部から排水する方法であって、互いに交差する複数の面にそれぞれ含まれかつ互いに連通しない複数の削孔を曲線ボーリングによって形成することを特徴とする地下水処理方法。
【請求項１２】
地下水の水抜きを行う範囲内の地盤に曲線ボーリングを用いて削孔された削孔と、該削孔内に挿入され、両端の少なくとも一方が前記地盤から大気中に開口され、前記地盤内の水が送り込まれる孔を有する水抜き管とを有する装置であって、前記排水が水抜き管の両端部から行われることを特徴とする地下水処理装置。
【請求項１３】
曲線ボーリングを用いて調査範囲内の地盤を削孔し、削孔内の任意点で水圧、流量、流向等または土質調査を行なった後、曲線ボーリングにより形成された削孔内に、側面から集水した水を端部から排水する水抜き管を挿入する方法であって互いに交差する複数の面にそれぞれ含まれかつ互いに連通しない複数の削孔を曲線ボーリングによって形成するとともに、前記排水を水抜き管の両端部から行うことを特徴とする地下水処理装置の製造方法。
【発明の詳細な説明】
【０００１  】
【発明の属する技術分野】
本発明は、地下水を処理するにあたり地下調査及び地下水の水抜き、地下水の復水等に使用される地下水処理方法、地下水処理装置、およびその製造方法に関する。
【０００２  】
【従来の技術】
一般に、地下水、土質等を調査するためにボーリングが行われており、鉛直ボーリング、水平ボーリング、斜めボーリング等が知られている。なお、以下の説明では、水平ボーリングおよび斜めボーリングを併せて横ボーリングと称することとする。図１０〜１２は、従来の地下調査のための鉛直ボーリング方法を示すものである。図１０は、斜面１に４箇所の鉛直ボーリング２を行った例を示している。図１１は、ボーリング箇所の縦断面を示すものである。鉛直ボーリング２によって形成された削孔３内のそれぞれの測定位置３ａ、３ｂ、３ｃにおいて、水圧、流速、流向等の地下水や土質を点データとして測定する。図１２は、鉛直ボーリング２と水平ボーリング４を組み合わせた例を示す地下水、土質調査解析方法の概略図である。この鉛直ボーリング２と水平ボーリング４を行うことにより地下水や土質の連続調査、三次元解析が可能となる。しかし、水平ボーリング４を行うためには、必ず鉛直ボーリング２を行わなければならず、必要とされるボーリングの本数が多くなるものである。
【０００３  】
図１３〜図１６は、自然斜面や盛土斜面における従来の水抜き工法を説明する概念図である。図１３、１４に示す例では、斜面１に集水井５を削孔し、この集水井５から斜面に向かって横ボーリング６を放射状に行い水抜き孔とする。また、集水井５から斜面１の下方に向かって地表面７に至るまで排水管８を施工し、水抜き孔から集水され集水井５に溜まった水を排水するものである。
【０００４  】
図１５、１６は、盛土斜面における従来の水抜き対策工法を説明する概念図である。自然斜面９に盛土１０を行い、盛土天端に道路１１等を施工した場合、自然斜面９の水みち１２に向かって盛土法面から横ボーリング１３を行って水みち１２からの排水を行う。また、水みち１２の先端に設けられた暗渠１５に向けて盛土法面から横ボーリング１４を行って暗渠１５からの排水を行うものである。
【０００５  】
また、前述のように水抜きを行うと、当該領域の地下水が減少し、場合によっては地盤沈下等の新たな問題が生じることから、図１７に示すように、従来、対象層（地下水をもどすべき層）１６まで鉛直ボーリングを行い、形成された削孔内に水抜き管１７を挿入し、この水抜き管１７の端部より水を注入し、地盤内の水位を高めて地下水を復水しようとするものである。
【０００６  】
【発明が解決しようとする課題】
しかし、上記の鉛直ボーリングによる地下調査方法では、ボーリングにより形成した削孔間の地下水等の連続性を効果的に調査することができなかった。また、削孔間の連続性を想定しても、地下水等の二次元解析のみで三次元解析が難しく、地下水等の立体的な分布を効果的に把握することができなかった。したがって、鉛直ボーリングのみでは、最も効果的な対策工（水みち）の位置を設定することが困難であった。更に、鉛直ボーリングのみで地下水等の立体的な分布を把握しようとすると、ボーリングの本数を多くしなければならず、図１０に示すような地滑り箇所や危険箇所においてもボーリングを行わなければならなかった。
【０００７  】
更に、鉛直ボーリングと水平ボーリングとを組み合わせた調査方法や斜めボーリングを用いた調査方法にあっては、地下水の連続性の調査や三次元解析が可能となるが、ボーリング本数が多くなると共に、水平ボーリングを行うには、一旦縦坑を掘削する必要があるなどの状況が発生する場合もあり、ボーリング本数が増す上に施工が困難であった。また、斜めボーリングは施工が比較的に困難であった。
【０００８  】
また、従来の傾斜面における水抜き処理方法では、地山側に向かったボーリングで水抜き孔を施工しており、水抜き孔の一端で集水し他端で排水している。このため、地下水の流向と水抜き管の集水方向が一致せず、結果として集水面積が小さくなっていた。したがって、ボーリングの１本当たりの集水量が少なく、排水効率が低いためボーリングの本数が多くなっていた。また、効果的な水みち位置に横水抜き孔を施工する横ボーリングができなかった。
また、集水とボーリング施工の効率を考慮して集水井を設けようとすると、その施工が煩雑であるという課題がある。
【０００９  】
更に、メンテナンスに際して、水抜き管が目詰まりした際に逆洗浄作業を行う場合、水抜き管の先端が地盤中に位置しており、開放されていないために逆洗浄が困難であった。また、水抜き管の交換を行う場合にも、集水井内で作業しなければならず、作業が非常に困難であった。
また、復水処理にあっては、浸透面積が小さいために復水対象層への復水効率が低いといった欠点が存在した。
【００１０  】
上記問題点を解決するため本発明は、曲線ボーリング孔内の任意の点において、土質、地下水の水圧，流速、流向等を連続的に調査し、少ないボーリング本数で三次元解析の可能な地下水処理方法を提供することを目的としている。
また、曲線ボーリングで削孔した孔に有孔の水抜き管を挿通することにより、集水量が多く、排水効率の高い水抜き処理の可能な地下水処理方法及びその装置を提供することを目的としている。更に、集水した地下水を集水井や排水管を必要とすることなく、直接地表面に排出でき、メンテナンス時に逆洗浄や水抜き管の交換の容易な地下水処理方法及びその装置を提供することを目的としている。
また、浸透面積を広くして、地下水の復元を効率良く行うことのできる地下水処理方法を提供するものである。
【００１１  】
【課題を解決するための手段】
本発明は、調査範囲内の地盤を曲線ボーリングを用いて削孔し、該削孔内の任意点で水圧、流速、流向または土質等の調査を行うことを特徴とする。
また本発明の水処理方法は、地下水の水抜きを行う範囲内の地盤を曲線ボーリングを用いて削孔し、当該削孔内に水抜き管を挿入し、水抜き管の側面から集水した水を水抜き管の端部から排水することを特徴とする。
また、互いに交差する複数の面にそれぞれ含まれかつ互いに連通しない複数の削孔を曲線ボーリングによって形成することを特徴とする。
また、地下水を復水すべき範囲内の地盤を曲線ボーリングにより削孔し、当該削孔内に水抜き管を挿入し、水抜き管の上端より水を供給し、この水を水抜き管の地中埋設範囲の側部から排出して地盤内の地下水へ供給することを特徴とする。
また、前記曲線ボーリングは、一端を地表面より削孔を開始し、他端を再度地表面に連通させたことを特徴とする。
また、前記曲線ボーリングは、削孔途中の地下調査の結果に基づいて方向を自在に変えることを特徴とする。
また、水抜き管による排水は、水抜き管の両端部から行われることを特徴とする。
また、前記水抜き管は、地下水を重力により集水し、水抜き管の端部から自然排水することを特徴とする。
また、前記水抜き管は、有孔管の周囲に集水材を巻いたものであることを特徴とする。
また、前記水抜き管は、片端部から洗浄水を注入し他端から排水することにより逆洗浄できることを特徴とする。
また、前記水抜き管は、自然斜面、盛土斜面、切土斜面等の斜面に使用されることを特徴とする。
また、前記水抜き管は、廃棄物処理場における浸出水を排水するために使用されることを特徴とする。
また、曲線ボーリングを用いて地下水を処理する方法であって、調査範囲内の地盤を削孔し、削孔内の任意点で水圧、流量、流向等または土質調査を行った後、当該削孔内に水抜き管を挿入し、水抜き管から集水した水を水抜き管の端部から排水することを特徴とする。
また、本発明の水抜き装置は、地下水の水抜きを行う範囲内の地盤に曲線ボーリングを用いて削孔された削孔と、該削孔内に挿入され、両端の少なくとも一方が前記地盤から大気中に開口され、前記地盤内の水が送り込まれる孔を有する水抜き管とを有することを特徴とする。
また、曲線ボーリングを用いた調査結果に応じて、地下水を排出すべき所定範囲の地層と交差するように曲線ボーリングを行ない、この曲線ボーリング孔へ水抜き管を挿入することにより、地盤からの水抜きのための設備ないしは装置を製造することを特徴とする。
【００１２  】
【発明の実施の形態】
以下、図面を参照して本発明の一実施の形態について説明する。図１は、本発明の曲線ボーリングを使用した地下調査方法を示す説明図である。ここで、曲線ボーリングとは、操向性ボーリング機を用いて片側地表面より曲線または直線的に地下の必要範囲を削孔するボーリングをいい、他端は必要に応じて地表面に出す。また、削孔の途中で地下調査を行い、調査結果を削孔方向の修正に反映させる。更に、削孔線形は、弧状、複合した曲線、曲線と直線の組み合わせの何れかで、少なくと１箇所に曲線部を有する線形を形成するボーリングをいう。また、線形方向は平面、鉛直、その複合のいずれに用いてもよい。
図１は、自然斜面２０の地下水等を曲線ボーリングを用いて調査する実施の形態を示している。先ず、調査範囲内の地盤を曲線ボーリング２１、２２でそれぞれ略直交する方向に削孔する。この際、曲線ボーリング２１，２２が交差（連通）しないようにボーリングを行う。このようにして形成した削孔内の任意点で水圧、流速、流向または土質等の調査を行う。土質調査を行う場合は、曲線ボーリング孔内の任意点でサンプルを採取する。
【００１３  】
また、曲線ボーリングは、片側の地表面から曲線または直線を用いて地下の必要箇所を削孔する。図１に示す例では、他端を再度地表面に出しているが必ずしも他端を地表面に出す必要はない。曲線ボーリング２１では、自然斜面２０のＡ点から略等しい等高線上のＢ点に向かって削孔している。また、曲線ボーリング２２では、斜面２０のＣ点から斜面の下方に位置する地表面上のＤ点に向かって下に凸となるように削孔している。この際、Ｄ点を含む範囲２３がすべり箇所または危険箇所である場合であっても、作業者がこの範囲に立ち入ることなく、ボーリング作業ができると共に、この危険箇所を含む範囲で地下水及び土質の調査を行うことができる。本実施の形態において、ａ、ｂ、ｃ、ｄで示す範囲において、地下水の水圧、流速、流向、または土質等を連続的に調査できると共に、三次元的に解析することができる。したがって、地下水、土質の立体的な分布状況を把握でき、最も効果的な水みちの位置が設定できる。
【００１４  】
図２は、本発明の地下調査方法における曲線ボーリングに沿った断面図である。斜面上部のＣ点から斜面下部のＤ点に向かって、下に凸の曲線ボーリング２２を行う。形成した削孔の任意の点ａ１，ａ２、ａ３〜ａ１１において、地下水の水圧、流速、流向または土質等を連続的に調査する。また、図２に示す断面と略直交する断面に沿って曲線ボーリングを行い、かつ任意点で地下水の水圧、流速、流向、または土質等を連続的に調査することによって地下水等の三次元的な解析が可能となり、立体的な分布形状が把握できる。
【００１５  】
図３は、曲線ボーリングによって調査可能な三次元領域の範囲を示している。すなわち、２本のほぼ円弧状の曲線ボーリング２４、２５をそれぞれの円弧を含む平面が略直交するように施工する。また、２本の削孔は、互いに交わらないようにする。このように曲線ボーリングをすることにより、地下水、土質の立体的分布を三次元的に解析することが可能となる。
【００１６  】
このように、前述の曲線ボーリングを用いて地下水等の状況を把握した上で、水抜きすべき個所を決定し、以下のような方法にて該当個所に水抜き孔を設けることができる。
図４は、本発明の地下水処理方法による自然斜面からの水抜き工法を示す説明図である。自然斜面２６を曲線ボーリング２７で、Ｅ点から略等しい等高線上のＥ’点に向かって斜面の上に向かって凸となるように削孔する。したがって、曲線ボーリング２７のＥ点或るいはＥ’点は、削孔のいずれかの中間より水平位置が低いこととなる。また、曲線ボーリング２８では、斜面２６上のＧ点から斜面の下方に位置する地表面上のＨ点に向かって削孔している。この際、曲線ボーリングの先端Ｅ点、Ｈ点を含む範囲２９がすべり箇所または危険箇所である場合であっても、作業者がこの範囲に立ち入ることなく、ボーリング作業ができると共に、この危険箇所を含む範囲で地下水の排出を行うことができる。なお、削孔方向は斜面の下方から上方に向かって行ってもかまわない。
【００１７  】
図５は、本発明の地下水処理方法に使用される水抜き管の断面図である。水抜き管３０は、周囲に多数の孔が形成された有孔管３０ａの外周に、例えばヘチマ状の材料のような多孔質からなる集水材３０ｂを巻き付けることにより構成されている。このように構成することにより、管材の外周面に沿った集水機能を高めることができる。
【００１８  】
以上のように構成された水抜き管３０を、自然斜面２６からの水抜き工法を施工する場合、曲線ボーリング２７、２８によって形成された削孔内に挿通する。曲線ボーリング２７によって形成された削孔においては、水抜き管３０によって集水された水が開放された端点ＥまたはＥ’から排出さされる。また、曲線ボーリング２８によって形成された削孔においては、水抜き管３０によって集水された水が開放された端点Ｈから排出される。このように、曲線ボーリングによって効果的な水みち位置に水抜き工法を施工できる。また、図４に示すように斜面の流向Ｆと水抜き管の集水方向Ｒが略一致しており、集水面積を広くすることができる。したがって、ボーリング１本当たりの集水量（排水量）が多く排水効率を高めることができる。また、ボーリングの本数を少なくできる。なお、水抜き管の側面とは地中にある水抜き管のうち、側部のみをいうのではなく、管の端部をも含む概念である。
【００１９  】
更に、曲線ボーリング２７の始端Ｅと終端Ｅ’は、地表面に位置しており、集水した地下水を直接地表面に排出することができ、従来のように集水した水を一旦貯める集水井や集水井から排水する排水管を設置する必要がない。また、曲線ボーリング２８についても同様である。
【００２０  】
図６は、本発明の自然斜面からの水抜き工法における水抜き管の交換作業の説明図である。
例えば、永年の使用により水抜き管３０が目詰まりを起こして、集水効率が低下した場合であっても、水抜き管の両端が開放されているので、片側の排水口から洗浄水を圧入して逆洗浄し、他の排出口より排水することができる。また、両端が開放されているので、水抜き管３０の交換作業も容易である。このように、水抜き管３０のメンテナンスが容易となる。
【００２１  】
図７は、本発明の地下水処理方法による盛土斜面からの水抜き工法を示す平面図、図８は、その断面図である。自然斜面３１に盛土３２を行い、盛土天端に道路３３等を施工した場合、自然斜面３１の水みち３４から地下水が湧いてくる。したがって、これらの地下水を排水するために盛土法面から水みち３４に向かって曲線ボーリング３５を行う。曲線ボーリング３５は、法面から水みち３４の先端近傍に向かって円弧状にボーリングし、水みち３４に達したら法面と平行に直線的に削孔し、所定距離進んだ後、今度は法面に向かって円弧状にボーリングして法面の表面までボーリングする。このようにして形成した、削孔に水抜き管３０を挿通し水みち３４からの排水を削孔の端点Ｊ、Ｋから行う。また、水みち３４の先端に設けられた暗渠３６からの排水を行うために、盛土法面から曲線ボーリング３７を行う。
【００２２  】
図７から明らかなように自然斜面３１の水みち３４の出口幅方向に対して曲線ボーリング３５の中間部をほぼ平行に配置することができ、地下水の流向Ｆと水抜き管３０の集水方向Ｒが一致するので、削孔内に挿入した水抜き管３０で効果的に集水することができる。また、曲線ボーリング３７についても同様に暗渠３６の出口幅方向に対して曲線ボーリングの中間部をほぼ平行に配置することができ水抜き管３０が効果的に集水することができる。したがって、曲線ボーリングの本数を少なくできる。水抜き管が集水した地下水は、開放された端点Ｊ、Ｋ及びＬ、Ｍから自然排水することができる。
【００２３  】
以上のように、本発明の水抜き工法は、通常の盛土斜面に限ることなく、切土斜面や廃棄物処分場における斜面の浸出水にも適用することができる。この場合、自然排水に限ることなく、ポンプ等による強制排水も可能である。
なお、本実施形態では、水抜き管を２段の配置としたが、地下水の状況に応じて多段に配置してもよい。
【００２４  】
また、水抜き管３０が目詰まりを起こした場合、両端Ｊ、Ｋ、Ｌ、Ｍが開放されているので一端から洗浄水を圧入して逆洗浄することができる。また、両端が開放されているので、水抜き管３０の交換作業も容易である。
【００２５  】
図９は、本発明の一実施形態である地下水処理方法による復水処理を示す断面図である。地下水の復元する場合は、地表面４０から曲線ボーリング４１を行う。曲線ボーリング４１は、復水対象層４２に至るまでは、直線的に掘削し、復水対象層４２に達した後、円弧状に曲げて復水範囲内の地盤を削孔する。復水対象層４２の内部を貫通させて、対象層とほぼ平行に削孔する。削孔内に水抜き管３０を挿入した後、水抜き管３０の上端部より水を圧送し、地盤内の水位を高めリチャージウエルとして地下水の涵養ができる。また、水の圧送は重力を利用するものに限らず、ポンプによる圧送であってもよい。
【００２６  】
以上のように構成した場合、復水対象層４２内に位置する水抜き管３０の浸透面積が広くなり、高い復水効率を得ることができる。
なお、地下調査、地下水に水抜き、地下水の復水のために削孔される曲線ボーリング孔は、先行する目的（例えば調査）のために削孔された孔と同一の孔を後の目的（例えば水抜きや復水）のために使用しても、目的に応じてそれぞれ削孔してもよい。
【００２７  】
【発明の効果】
以上説明したように本発明は、曲線ボーリングを用いて地下水を処理する方法であって、調査範囲内の地盤を削孔し、削孔内の任意点で水圧、流量、流向等または土質調査を行うので、少ないボーリング本数で地下水等の三次元解析ができる。
また、地下水の水抜きを行う範囲内の地盤を削孔し、当該削孔内に水抜き管を挿入し、水抜き管から集水した水を水抜き管の端部から排水するので、少ないボーリング本数で効率的な地下水の集水ができる。また、集水井や排水管が不要であるために、施工コストを低減することができる。更に、水抜き管が目詰まりした場合でも、両端が開放されているので一方の端部から洗浄水を圧入することにより、容易に逆洗浄が可能である。また、水抜き管の交換作業も容易である。
また、前記削孔を含む面が互いに交差するする２本の曲線ボーリングを行うので、少ないボーリング本数で地下水等の三次元解析ができる。
また、復水範囲内の地盤を削孔した後、当該削孔内に水抜き管を挿入し、水抜き管の端部より水を注入することにより、水抜き管の側面から地盤内へ水を効果的に吸収させて地盤内の水位を高めるので、地下水の涵養を効果的に行うことができる。
また、一端を地表面より削孔を開始し、他端を再度地表面に連通させたので、削孔の端部から直接排水することができ、集水井や排水管の施工が不要である。したがって、施工コストを低減できる。また、水抜き管の逆洗浄や交換作業を容易に行うことができる。
また、前記曲線ボーリングが削孔途中の地下調査の結果に基づいて掘削方向を自在に変えるので、地盤の状況に応じて地下水の排水、復水が可能で最適なボーリング孔を形成することができる。
また前記水抜き管による排水は、水抜き管の両端部を用いて行うので、排水効率を向上することができ、復水施工も水抜き管の両端からできるので効率的である。更に、排水に際しては、水抜き管が目詰まりした場合の逆洗浄や交換作業が容易である。
前記水抜き管は、有孔管に集水材を巻いたので、水抜き管の集水機能を向上することができる。
前記水抜き管は、片端部から洗浄水を注入し他端から排水することにより逆洗浄できるので、水抜き管の保守点検作業が容易となる。
前記水抜き管は、自然斜面、盛土斜面、切土斜面等の斜面に使用されるので、これらの斜面における排水処理、復水処理を効率的に行うことができる。
前記水抜き管が、廃棄物処理場における浸出水を排水するために使用されるので、廃棄物処理場における浸出水を効率的に排水することが可能となる。
調査範囲内の地盤を曲線ボーリングを用いて削孔し、当該削孔内の任意点で水圧、流速、流向または土質等の調査を行った後、当該削孔内に水抜き管を挿入し、水抜き管から集水した水を水抜き管の端部から排水するので、調査用のボーリング孔をそのまま利用して排水処理が可能となる。
処理範囲内の地盤を曲線ボーリングを用いて削孔し、当該削孔内に水抜き管を挿入し、水抜き管から集水した水を水抜き管の端部から排水した後、前記水抜き管の端部より水を圧送し、地盤内の水位を高めるので、同一のボーリング孔を水抜き処理と復水処理に兼用することができる。
【図面の簡単な説明】
【図１】  本発明の曲線ボーリングを使用した地下調査方法を示す斜視図である。
【図２】  同地下調査方法における曲線ボーリングに沿った斜視図である。
【図３】  同地下調査のための曲線ボーリングの概略図である。
【図４】  同地下水処理方法による自然斜面からの水抜き工法を示す説明図である。
【図５】  本発明の地下水処理方法に使用される水抜き管の断面図である。
【図６】  同自然斜面からの水抜き工法における水抜き管の交換作業の説明図である。
【図７】  同地下水処理方法による盛土斜面からの水抜き工法を示す平面図である。
【図８】  同地下水処理方法による盛土斜面からの水抜き工法を示す断面図である。
【図９】  本発明の一実施形態である地下水処理方法による復水処理を示す断面図である。
【図１０】  従来の鉛直ボーリングによる地下水の調査方法を示す斜視図である。
【図１１】  図１０の断面図である。
【図１２】  従来の鉛直ボーリングと横ボーリングとを組み合わせた調査方法を示す概略図である。
【図１３】  従来の自然斜面における水抜き工法を説明する斜視図である。
【図１４】  従来の自然斜面における水抜き工法を説明する斜視図である。
【図１５】  従来の盛土斜面における水抜き工法を説明する平面図である。
【図１６】  従来の盛土斜面における水抜き工法を説明する断面図である。
【図１７】  従来の地下水の復水工法を説明する断面図である。
【符号の説明】
２０  自然斜面
２１  曲線ボーリング
２２  曲線ボーリング
２３  範囲
２４  曲線ボーリング
２５  曲線ボーリング
２６  自然斜面
２７  曲線ボーリング
２８  曲線ボーリング
２９  範囲
３０  水抜き管
３１  自然斜面
３２  盛土
３３  道路
３４  水みち
３５  曲線ボーリング
３６  暗渠
３７  曲線ボーリング
４０  地表面
【図１】
0003964729.tif 000002
【図２】
0003964729.tif 000003
【図３】
0003964729.tif 000004
【図４】
0003964729.tif 000005
【図５】
0003964729.tif 000006
【図６】
0003964729.tif 000007
【図７】
0003964729.tif 000008
【図８】
0003964729.tif 000009
【図９】
0003964729.tif 000010
【図１０】
0003964729.tif 000011
【図１１】
0003964729.tif 000012
【図１２】
0003964729.tif 000013
【図１３】
0003964729.tif 000014
【図１４】
0003964729.tif 000015
【図１５】
0003964729.tif 000016
【図１６】
0003964729.tif 000017
【図１７】
0003964729.tif 000018